(57)【要約】      （修正有）【課題】臭気の発生を抑制できるイオン送出装置を提供する。【解決手段】動物用トイレ１００は、臭気源Ｓと、イオン送出装置１０とを備える。臭気源Ｓは、臭気を発生する。イオン送出装置１０は、臭気源Ｓに向かってイオンを送出する。イオン送出装置１０は、臭気源Ｓにイオンを案内するガイド１３０を更に備える。イオン送出装置１０は、臭気源の上方を覆うカバー部１２１を更に備える。ガイド１３０は、カバー部１２１の内壁面１２２に沿って、臭気源Ｓまで延びる。【選択図】図３
2020202755.tif 000002
【特許請求の範囲】
【請求項１】
イオンを発生させるイオン発生部と、
動物用トイレに含まれる臭気源に向けてイオンを送出する送出部と
を備える、イオン送出装置。
【請求項２】
前記臭気源に前記イオンを案内するガイドを更に備える、請求項１に記載のイオン送出装置。
【請求項３】
前記臭気源の上方を覆うカバー部を更に備える、請求項１又は請求項２に記載のイオン送出装置。
【請求項４】
前記臭気源の上方を覆うカバー部を更に備え、
前記ガイドは、前記カバー部の内壁面に沿って延びる、請求項２に記載のイオン送出装置。
【請求項５】
ユーザーの操作を受け付ける操作部を更に備え、
前記カバー部は、開口を有する天板を有し、
前記操作部は、前記開口から露出する、請求項３又は請求項４に記載のイオン送出装置。
【請求項６】
臭気を発生する臭気源と、
イオンを発生させるイオン発生部と、
前記臭気源に向けて前記イオンを送出する送出部と
を備える、動物用トイレ。
【請求項７】
前記臭気源は、動物の排泄物を受けるトレー部を含む、請求項６に記載の動物用トイレ。
【請求項８】
前記イオンを案内するガイドを更に備え、
前記トレー部は、第１トレー部と第２トレー部とを含み、
前記第１トレー部は、前記第２トレー部の上方に位置し、
前記送出部は、前記ガイドを通じて前記イオンを前記第２トレー部に送出するとともに、前記第１トレー部に前記イオンを送出する、請求項７に記載の動物用トイレ。
【請求項９】
複数の前記ガイドを更に備え、
前記複数のガイドのうちの１つのガイドは、前記第２トレー部の第１部分に前記イオンを案内し、
前記複数のガイドのうちの他の１つのガイドは、前記第２トレー部の第１部分と異なる第２部分に前記イオンを案内する、請求項８に記載の動物用トイレ。
【発明の詳細な説明】
【技術分野】
【０００１】
本発明は、動物用トイレに関する。
【背景技術】
【０００２】
特許文献１に記載のペット用トイレは、粒状体収容部と、設置部とを備える。粒状体収容部は、多数の粒状体が収容される。粒状体収容部は、上方が開口し、底部が液通過構造である。設置部は、粒状体収容部の底部に位置する。設置部には、支持体が設置される。支持体には、吸液シートが敷かれる。支持体は、設置部から取り出し自在である。特許文献１に記載のペット用トイレによれば、吸液シートを設置部から取り出して、トイレを清掃できる。
【先行技術文献】
【特許文献】
【０００３】
【特許文献１】特開２００５−１１０７００号公報
【発明の概要】
【発明が解決しようとする課題】
【０００４】
しかしながら、特許文献１に記載のペット用トイレでは、排泄物の臭気が支持体に残る場合、臭気の発生を抑制することが困難であった。
【０００５】
本発明は上記課題に鑑みてなされたものであり、臭気の発生を抑制できるイオン送出装置及び動物用トイレを提供することを目的とする。
【課題を解決するための手段】
【０００６】
本発明の第１の観点によれば、イオン送出装置は、イオン発生部と、送出部とを備える。前記イオン発生部は、イオンを発生させる。前記送出部は、動物用トイレに含まれる臭気源に向けてイオンを送出する。
【０００７】
本発明の第２の観点によれば、動物用トイレは、臭気源と、イオン発生部と、送出部とを備える。前記臭気源は、臭気を発生する。前記イオン発生部は、イオンを発生させる。前記送出部は、前記臭気源に向けて前記イオンを送出する。
【発明の効果】
【０００８】
本発明のイオン送出装置及び動物用トイレによれば、臭気の発生を抑制できる。
【図面の簡単な説明】
【０００９】
【図１】本発明の実施形態１に係るイオン送出装置を備える動物用トイレの構成を示す図である。
【図２】図１に示す本実施形態１の動物用トイレのＩＩ−ＩＩ線に沿った断面を示す図である。
【図３】図１に示す本実施形態１の動物用トイレのＩＩＩ−ＩＩＩ線に沿った断面を示す図である。
【図４】本実施形態１の図３に示す動物用トイレの別の図を示す。
【図５】本発明の実施形態２に係る動物用トイレの構成を示す図である。
【図６】本発明の実施形態３に係る動物用トイレの構成を示す図である。
【発明を実施するための形態】
【００１０】
以下、本発明の実施形態について、図面を参照しながら説明する。なお、図中、同一又は相当部分については同一の参照符号を付して説明を繰り返さない。また、本発明の実施形態において、Ｘ軸、Ｙ軸、及びＺ軸は互いに直交し、Ｘ軸及びＹ軸は水平方向に平行であり、Ｚ軸は鉛直方向に平行である。
【００１１】
［実施形態１］
まず、図１を参照して、本発明の実施形態１に係るイオン送出装置１０を備える動物用トイレ１００の構成について説明する。図１は、動物用トイレ１００の構成を示す図である。図１に示すように、動物用トイレ１００は、イオン送出装置１０とキャビネット２０とを備える。
【００１２】
イオン送出装置１０は、イオンを送出する。イオン送出装置１０は、キャビネット２０の上部に位置する。図１に示すイオン送出装置１０は、キャビネット２０に重ねて配置される。
【００１３】
イオン送出装置１０は、カバー部１２１、及びイオン供給部１５０を有する。カバー部１２１は、キャビネット２０を囲む。具体的には、カバー部１２１は、キャビネット２０の上方空間を囲む。上方空間は、キャビネット２０の上方向に位置する空間である。上方向は、図１に示すＺ軸に沿う方向であり、キャビネット２０からイオン送出装置１０に向かう方向である。
【００１４】
カバー部１２１は、内壁面１２２と外壁面１２３を有する。内壁面１２２は、カバー部１２１の内部の壁面を示す。外壁面１２３は、カバー部１２１の外部の壁面を示す。
【００１５】
また、カバー部１２１は、天板１２６と、側壁１２８と、フランジ部１２５とを有する。天板１２６は、キャビネット２０の上方を覆う。天板１２６は、キャビネット２０から上方向に離間する。天板１２６は、キャビネット２０と対向する。具体的には、天板１２６は、キャビネット２０から離間した状態でキャビネット２０と対向する。天板１２６は、開口１２７を有する。開口１２７は、貫通孔である。
【００１６】
側壁１２８は、キャビネット２０の上方空間を側方から覆う。側壁１２８は、天板１２６から延設される。側壁１２８は、出入口１２４を有する。出入口１２４は、貫通孔である。出入口１２４は、動物が動物用トイレ１００に出入りするために利用される。
【００１７】
フランジ部１２５は、出入口１２４に接近する動物の足を支持する。動物は、フランジ部１２５に足をかけて出入口１２４を通過し、キャビネット２０に到達する。フランジ部１２５は、キャビネット２０と当接する。
【００１８】
フランジ部１２５は、固定部（図示せず）を有する。固定部は、フランジ部１２５とキャビネット２０とが当接した状態でフランジ部１２５とキャビネット２０とを固定する。したがって、固定部はイオン送出装置１０とキャビネット２０とが分離しないように固定できる。
【００１９】
また、固定部の固定を解除することで、イオン送出装置１０とキャビネット２０とが分離する。したがって、イオン送出装置１０とキャビネット２０とが分離できるので、キャビネット２０をメンテナンスする際の作業性が向上する。
【００２０】
キャビネット２０は、動物を支持する。キャビネット２０は、動物を載置する台である。キャビネット２０は、動物の排泄物を受ける。動物の排泄物を受けたキャビネット２０は、臭気源を有する。臭気源は、臭気を発生する。
【００２１】
また、本実施形態のカバー部１２１は、臭気源の上方を覆う。したがって、発生した臭気をカバー部１２１で留めることができる。この結果、臭気の拡散を抑制できる。
【００２２】
次に、図１と図２と図３とを参照して、動物用トイレ１００の構成について、更に詳しく説明する。
【００２３】
図２は、図１に示す動物用トイレ１００のＩＩ−ＩＩ断面を示す。図２では、動物用トイレ１００を第１方向から見ている。第１方向は、出入口１２４側から動物用トイレ１００を見た方向である。第１方向は、図２のＸ軸に沿う方向である。また、図２では、イオン送出装置１０とキャビネット２０とは、分離した状態である。
【００２４】
図３は、図１に示す動物用トイレ１００のＩＩＩ−ＩＩＩ断面を示す。図３では、動物用トイレ１００を第２方向から見ている。第２方向は、第１方向と水平に交差する方向である。また、図３では、イオン送出装置１０とキャビネット２０とは固定部によって固定される。
【００２５】
イオン送出装置１０は、イオン供給部１５０と、ガイド１３０とを更に有する。
【００２６】
イオン供給部１５０は、イオンを供給する。イオン供給部１５０は、カバー部１２１の内部に配置される。イオン供給部１５０は、筐体１５１と、イオン発生部１５３と、送出部１５２と、操作部１５４とを有する。
【００２７】
筐体１５１は、送出部１５２とイオン発生部１５３とを収容する。筐体１５１は複数の開口を有する。複数の開口のうちの１つは、第１開口１５１ａである。第１開口１５１ａは、筐体１５１の内部と筐体１５１の外部とを連通する。複数の開口のうちの１つは、第２開口１５１ｂである。第２開口１５１ｂは、筐体１５１とガイド１３０とを連通する。
【００２８】
イオン発生部１５３は、イオンを発生させる。イオン発生部１５３は、一対の放電電極（図示せず）を含む。イオン発生部１５３は、放電電極に正電圧と負電圧とを印加し、コロナ放電させる。この結果、空気中の水分子及び酸素分子は、水素のプラスイオンと酸素のマイナスイオンとに電離する。そして、水素のプラスイオンと酸素のマイナスイオンとには、空気中の水分子があつまり、クラスターイオンとなる。
【００２９】
送出部１５２は、イオンを送出する。送出部１５２は、ファンである。ファンは、回転する。ファンは回転することで風を発生させる。送出部１５２は、イオン発生部１５３の近傍に位置する。送出部１５２は、例えば、イオン発生部１５３の上方向に位置する。下方向は、図２に示すＺ軸に沿う方向であり、イオン供給部１５０からキャビネット２０に向かう方向である。したがって、送出部１５２が発生させた風はイオンを含み、送出部１５２はイオンを送出できる。
【００３０】
なお、送出部１５２は、イオン発生部１５３の上方向に位置してもよい。送出部１５２の位置とイオン発生部１５３の位置とは、ファンの種類によって異なる。ファンは、例えば、軸流ファン及びシロッコファンを含む。
【００３１】
また、送出部１５２は、動物用トイレ１００に含まれる臭気源に向けてイオンを送出する。したがって、動物用トイレ１００に含まれる臭気源にイオンを含む風を送出できる。この結果、臭気の発生をイオンによって抑制できる。
【００３２】
例えば、送出部１５２は、クラスターイオン（Ｈ+（Ｈ2Ｏ）及びＯ2-（Ｈ2Ｏ）n）を送出する。クラスターイオンは、水素のプラスイオンと酸素のマイナスイオンと各々に空気中の水分子が集まった集合を示す。クラスターイオンは、細菌、ウイルス、及び臭い物質に付着するとＯＨラジカルを発生し、臭気を抑制する。この結果、送出部１５２が送出したイオンによって、臭気源から発生する臭気を抑制できる。
【００３３】
操作部１５４は、ユーザーの操作を受け付ける。操作部１５４は、表示部と操作ボタンとを有する。なお、操作部１５４は、タッチパネルを有してもよい。操作部１５４は、ユーザーからの操作を受け付ける度に、ユーザーからの操作の内容を示す操作情報を生成する。操作情報は、例えば、送出部１５２とイオン発生部１５３とのＯＮ／ＯＦＦを切り替える情報である。また、操作情報は、例えば、送出部１５２の風量を切り替える情報である。
【００３４】
操作部１５４は、カバー部１２１の天板１２６から露出する。具体的には、操作部１５４は、天板１２６の開口１２７から露出する。したがって、開口１２７から露出した操作部１５４を介して送出部１５２とイオン発生部１５３とを操作できる。この結果、ユーザーが屈んで出入口１２４から手を挿入してイオン供給部１５０を操作する手間を抑制できる。また、イオン送出装置１０とキャビネット２０とを分離して操作部１５４を操作する手間を抑制できる。
【００３５】
ガイド１３０は、イオンを案内する。具体的には、ガイド１３０は、イオンを含んだ風を案内する。更に具体的には、ガイド１３０は、臭気源Ｓにイオンを案内する。この結果、臭気源Ｓにから発生する臭気を効率良く抑制できる。
【００３６】
また、ガイド１３０は、カバー部１２１の内壁面１２２に沿って臭気源Ｓまで延設される。ガイド１３０はカバー部１２１を補強する。また、カバー部１２１はガイド１３０を保護する。この結果、イオン送出装置１０の耐久性が向上する。
【００３７】
キャビネット２０は、筐体２１１と、複数のトレー部２１０とを有する。筐体２１１は、複数のトレー部２１０を支持する。筐体２１１は、内部が中空になっている。筐体２１１は、縁部２１４を有する。
【００３８】
縁部２１４は、イオン送出装置１０を支持する。具体的には、縁部２１４は、カバー部１２１のフランジ部１２５と当接することで、イオン送出装置１０を支持する。縁部２１４は、フランジ部１２５と当接して、固定部によって固定される。
【００３９】
縁部２１４は、開口２１４ａを有する。開口２１４ａは、筐体２１１の内部と筐体２１１の外部とを連通する。また、イオン送出装置１０とキャビネット２０とが固定される場合、図３に示すように、開口２１４ａは筐体２１１の内部とガイド１３０とを連通する。具体的には、縁部２１４とフランジ部１２５とが当接することで、開口２１４ａは、筐体２１１の内部とガイド１３０とを連通する。
【００４０】
複数のトレー部２１０は、動物の排泄物を受ける。図３に示すように、複数のトレー部２１０は、消耗品ＣＡを収容する。消耗品ＣＡは、動物の排泄物を受ける。動物の排泄物は、第１排泄物又は第２排泄物である。第１排泄物は、例えば、動物の尿である。第２排泄物は、例えば、動物の糞である。排泄物を受けた消耗品ＣＡを収容する複数のトレー部２１０は、臭気を発し得る。例えば、排泄物が飛び散ってトレー部２１０に付着する場合、臭気を発し得る。したがって、動物の排泄物を受ける複数のトレー部２１０は、臭気源に含まれる。
【００４１】
複数のトレー部２１０は、第１トレー部２２０と第２トレー部２３０とを含む。図３に示すように、第１トレー部２２０は、排泄物を受け取る消耗品ＣＡを収容する。具体的には、第１トレー部２２０は、第２排泄物を受け取る第１消耗品ＣＡ１を収容する。第１消耗品ＣＡ１は粒状体である。粒状体は、例えば猫砂である。猫砂は、第２排泄物の周りに付着する。猫砂は、撥水性を有する。したがって、撥水性を有する猫砂は、第１排泄物の付着を抑制する。猫砂は、砂、ガラスビーズ、及び撥水性のある木材であり得る。
【００４２】
第１トレー部２２０は、凹状に形成される。第１トレー部２２０は、底部２２４を有する。底部２２４は、複数の貫通孔を有する。底部２２４の複数の貫通孔は、動物の排泄物のうちの第１排泄物が通過する。また、第１トレー部２２０は、撥水性を有してもよい。第１トレー部２２０が撥水性を有することで、第１排泄物が第２トレー部２３０に付着して留まらない。第１トレー部２２０は、第２トレー部２３０の上方に位置する。したがって、底部２２４の貫通孔を通過した第１排泄物は、第２トレー部２３０に落ちる。
【００４３】
第２トレー部２３０は、排泄物を受け取る消耗品ＣＡを収容する。具体的には、第２トレー部２３０は、第１排泄物を受け取る第２消耗品ＣＡ２を収容する。第２消耗品ＣＡ２は、シートである。シートは、例えば吸水シートである。吸水シートは、第１排泄物を吸収する。吸水シートは、第１層と第２層とを有する。第１層は、液体を吸収する。第１層は、第２層の上に位置する。第１層は、紙又は綿などで形成される。第２層は、第２トレー部２３０に当接する。第２層は、液体を吸収しない。第２層は、例えば、液体を透過しないポリエチレンなどの樹脂で形成される。
【００４４】
また、臭気源Ｓは、第１トレー部２２０と第２トレー部２３０とを含む。また、本実施形態の送出部１５２は、第１トレー部２２０及び第２トレー部２３０にイオンを送出する。したがって、第１トレー部２２０及び第２トレー部２３０にイオンを送出できる。この結果、第１トレー部２２０及び第２トレー部２３０から発生する臭気を抑制できる。
【００４５】
次に、図４を参照して、イオン供給部１５０が供給したイオンが到達する箇所について説明する。図４は、図３に示す動物用トイレ１００の別の図を示す。図４では、動物用トイレ１００を第２方向から見ている。図４では、イオンを含む風の流れが模式的に表される。図４には、風Ｆ１の流れと風Ｆ２の流れとが表される。送出部１５２は、風Ｆ１と風Ｆ２とを発生させる。
【００４６】
風Ｆ１の流れは、第３方向に沿った風の流れである。第３方向は、Ｚ軸に沿う方向であり、イオン供給部１５０から第１トレー部２２０に向かう方向である。具体的には、イオン供給部１５０が供給したイオンは、送出部１５２が発生させた風Ｆ１によって第１開口１５１ａから第１トレー部２２０に向けて送出される。風Ｆ１にしたがって、イオンは第１トレー部２２０に到達する。したがって、第１トレー部２２０に到達したイオンは、第１トレー部２２０から発生する臭気を抑制できる。
【００４７】
風Ｆ２の流れは、ガイド１３０に沿った風の流れである。イオンを含む風Ｆ２は、第２トレー部２３０に到達する。したがって、第２トレー部２３０に到達したイオンは、第２トレー部２３０から発生する臭気を抑制する。具体的には、イオン供給部１５０が供給したイオンは、送出部１５２が発生させた風Ｆ２によって第２開口１５１ｂから第２トレー部２３０に向けて送出される。更に具体的には、風Ｆ２にしたがって、イオンはイオン供給部１５０から側壁１２８へ向かう方向に移動する。そして、風Ｆ２にしたがって、イオンは天板１２６から開口２１４ａへ向かう方向に移動する。開口２１４ａに移動したイオンは、筐体２１１の内部に進入する。更に、風Ｆ２にしたがって、イオンは開口２１４ａから第２トレー部２３０に到達する。したがって、第２トレー部２３０に到達したイオンは、第２トレー部２３０から発生する臭気を抑制できる。
【００４８】
図４に示すように、本実施形態の送出部１５２は、ガイド１３０を通じてイオンを第２トレー部２３０に送出するとともに、第１トレー部２２０にイオンを送出する。したがって、臭気を発生する第１トレー部２２０と臭気を発生する第２トレー部２３０とにイオンを送出できる。この結果、第１トレー部２２０と第２トレー部２３０とのそれぞれから発生する臭気を抑制できる。
【００４９】
また、本実施形態のガイド１３０は、複数のガイド１３１を含む。複数のガイド１３０のうちの１つは、第２トレー部２３０の第１部分にイオンを案内する。複数のガイド１３０のうちの１つは、第２トレー部２３０の第２部分にイオンを案内する。第２部分は、第１部分と異なる。したがって、イオンを送出できる位置が複数あるため、様々な第１排泄物の位置に対応できる。この結果、排泄物の位置によってイオンの送出量が低下することを抑制できる。
【００５０】
例えば、第１トレー部２２０の中央で動物が第１排泄物を排泄する場合もあれば、第１トレー部２２０の端で動物が第１排泄物を排泄する場合もある。したがって、第２トレー部２３０に落ちてくる第１排泄物の位置は、毎度異なる。例えば、ガイド１３０が単数の場合、ガイド１３０がイオンを案内できる位置に排泄物がないことがある。したがって、排泄物に送出するイオンの送出量が低下する。この結果、臭気が発生し得る。
【００５１】
したがって、本実施形態のガイド１３０は、複数のガイド１３１を含む。複数のガイド１３１のうちの１つは、例えば、図４に示す第１ガイド１３１ａである。第１ガイド１３１ａは、第４方向の上流側にイオンを案内する。第４方向は、イオン供給部１５０から出入口１２４へ向かう方向を示す。また、第４方向は、第１方向とは逆の方向である。したがって、第４方向に位置する第２トレー部２３０の第１部分にイオンを送出できる。
【００５２】
また、複数のガイド１３０のうちの１つは、例えば、図４に示す第２ガイド１３１ｂである。第２ガイド１３１ｂは、第５方向に位置する第２トレー部２３０の第２部分にイオンを送出する。第５方向は、第４方向に交差する方向を示す。また、第５方向は、第２方向とは逆の方向である。したがって、イオンを送出できる位置が複数となり、様々な第１排泄物の位置に対応できる。
【００５３】
［実施形態２］
次に、図５を参照して、本発明の実施形態２に係る動物用トイレ１００を説明する。実施形態２の動物用トイレ１００は、イオン送出装置１０がカバー部１２１を備えない点で、実施形態１と異なる。以下、実施形態２について、実施形態１と異なる事項について説明し、実施形態１と重複する部分についての説明は割愛する。
【００５４】
図５は、実施形態２の動物用トイレ１００の構成を示す図である。動物用トイレ１００は、キャビネット２０とイオン送出装置１０とを備える。
【００５５】
キャビネット２０は、筐体２１１と、複数のトレー部２１０とを有する。筐体２１１は、縁部２１４を有する。縁部２１４は、開口２１４ａを有する。開口２１４ａは、筐体２１１の内部と筐体２１１の外部とを連通する。複数のトレー部２１０は、第１トレー部２２０と第２トレー部２３０とを含む。
【００５６】
イオン送出装置１０は、イオン供給部１５０及びガイド１３０を有する。イオン供給部１５０は、筐体１５１と、ファン（図示せず）と、イオン発生部（図示せず）と、操作部１５４とを有する。筐体１５１は、第１開口１５１ａと第２開口１５１ｂとを有する。イオン供給部１５０は、キャビネット２０の上部に位置する。
【００５７】
ガイド１３０は、キャビネット２０から所定距離離間させてイオン供給部１５０を支持する。所定距離は、イオン供給部１５０とキャビネット２０との間に動物が位置できる程度の距離である。
【００５８】
ガイド１３０は、複数のガイド１３１を有する。複数のガイド１３１の各々は、開口２１４ａに挿入される。複数のガイド１３１は、第１ガイド１３１ａと第２ガイド１３１ｂとを含む。第１ガイド１３１ａは、第４方向の上流側に位置する開口２１４ａに挿入される。また、第２ガイド１３１ｂは、第５方向の上流側に位置する開口２１４ａに挿入される。また、第２ガイド１３１ｂは、第２方向の上流側に位置する開口２１４ａに挿入される。したがって、カバー部１２１を有しない動物用トイレ１００にイオン送出装置１０を取り付けることができる。この結果、複数のガイド１３１の各々は、第２トレー部２３０にイオンを送出できる。
【００５９】
［実施形態３］
次に、図６を参照して、本発明の実施形態３に係る動物用トイレ１００を説明する。実施形態３の動物用トイレ１００は、キャビネット２０が延長部２３１を備える点で、実施形態１及び実施形態２と異なる。以下、実施形態３について、実施形態１及び実施形態２と異なる事項について説明し、実施形態１及び実施形態２と重複する部分についての説明は割愛する。
【００６０】
図６は、実施形態３の動物用トイレ１００の構成を示す図である。動物用トイレ１００は、イオン送出装置１０とキャビネット２０とを備える。
【００６１】
イオン送出装置１０は、カバー部１２１、イオン供給部１５０及びガイド１３０を有する。カバー部１２１は、内壁面１２２と外壁面１２３を有する。カバー部１２１は、フランジ部１２５と、天板１２６と、側壁１２８を有する。天板１２６は、開口１２７を有する。イオン供給部１５０は、筐体１５１と、送出部１５２と、イオン発生部１５３と、操作部１５４とを有する。筐体１５１は、第１開口１５１ａと第２開口１５１ｂとを有する。ガイド１３０は、イオンを案内する。ガイド１３０は、カバー部１２１の内壁面１２２に沿ってイオン供給部１５０からキャビネット２０まで延設される。
【００６２】
キャビネット２０は、筐体２１１と、複数のトレー部２１０と、延長部２３１を有する。筐体２１１は、縁部２１４を有する。縁部２１４は、開口２１４ａを有する。複数のトレー部２１０は、第１トレー部２２０と第２トレー部２３０とを含む。
【００６３】
延長部２３１は、ガイド１３０から送出されたイオンを第２トレー部２３０に案内する。延長部２３１は、ガイド１３０に接続される。延長部２３１は、開口２１４ａの近傍に位置する。具体的には、延長部２３１は、開口２１４ａの下方に位置する。延長部２３１は、開口２１４ａから第２トレー部２３０に向けて延設される。つまり、ガイド１３０から送出されたイオンを延長部２３１が第２トレー部２３０に精度良く案内できる。この結果、更に効率良く臭気の発生を抑制できる。
【００６４】
以上、図面を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。更に、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【００６５】
（１）実施形態１及び実施形態３において、側壁１２８は、出入口１２４を閉塞する蓋を有してもよい。
【００６６】
（２）実施形態２において、イオン供給部１５０は、第１トレー部２２０にもイオンを送出してもよい。イオン供給部１５０が第１トレー部２２０にイオンを送出することで、第１トレー部２２０から発生する臭気を抑制できる。
【００６７】
（３）実施形態３において、筐体２１１が延長部２３１を有したが、第１トレー部２２０が延長部２３１を有してもよい。例えば、延長部２３１を有しない第１トレー部２２０が筐体２１１に取付けられている場合、延長部２３１を有しない第１トレー部２２０を外して、延長部２３１を有する第１トレー部２２０を取り付けるようにしてもよい。
【産業上の利用可能性】
【００６８】
本発明は、イオン送出装置及び動物用トイレの分野に利用可能である。
【符号の説明】
【００６９】
１０      イオン送出装置
２０      キャビネット
１００    動物用トイレ
１２１    カバー部
１２２    内壁面
１２６    天板
１２７    開口
１３０    ガイド
１３１    ガイド（複数のガイド）
１５４    操作部
２１０    トレー部
２２０    第１トレー部
２３０    第２トレー部
Ｓ        臭気源
【図１】
2020202755.tif 000003
【図２】
2020202755.tif 000004
【図３】
2020202755.tif 000005
【図４】
2020202755.tif 000006
【図５】
2020202755.tif 000007
【図６】
2020202755.tif 000008